(57)【特許請求の範囲】
【請求項１】
衣類本体の前身ごろ部及び後身ごろ部に着脱自在に設けられる前身ごろ裏地及び後身ごろ裏地と、前記衣類本体の袖部に設けられる袖裏地とに、羽毛，綿，気泡緩衝材，生地若しくは紙から成る保温材が詰入された保温パック体が収納される収納部が設けられた防寒衣類であって、前記収納部は前記前身ごろ裏地及び後身ごろ裏地の面方向に多数設けられるとともに、前記袖裏地に複数設けられ、前記収納部に出し入れ自在となり、前記収納部に対して前記前身ごろ裏地，後身ごろ裏地及び袖裏地の厚さ方向に積層収納し得る厚さの前記保温パック体が多数備えられ、前記前身ごろ裏地，前記後身ごろ裏地及び前記袖裏地はメッシュ構造であることを特徴とする防寒衣類。
【請求項２】
前記保温パック体は、前記保温材を扁平状の袋体に詰入した扁平状体であることを特徴とする請求項１記載の防寒衣類。
【請求項３】
前記前身ごろ裏地，前記後身ごろ裏地及び前記袖裏地は、第一面材とこの第一面材に重合して一体とされる第二面材とから成り、前記第一面材と前記第二面材とが一体とされるに際して、一箇所が開口するように袋状に区分けされた前記収納部が設けられた構成であり、前記収納部の開口部には、前記第二面材の端部を内側へ折り返した折り返し部が設けられ、この折り返し部により前記収納部に収納された前記保温パック体の端部が抜け止め係止されるように構成されていることを特徴とする請求項１，２のいずれか１項に記載の防寒衣類。
【発明の詳細な説明】
【技術分野】
【０００１】
本発明は、例えばレインウェアやスキーウェアなどの防寒衣類に関するものである。
【背景技術】
【０００２】
従来から、冬などの気温の低い時期に着用する防寒衣類として、例えば表地と裏地との間に羽毛や綿などの保温材を詰入した防寒衣類が提案されている。
【０００３】
ところで、この防寒衣類には、例えば季節による気温の変化や、使用する条件（タウンユースから登山やスキーまでの使用条件）に合わせて保温力を変えたいという要求があり、この要求に対応すべく、この防寒衣類の製造時に、保温材を多く詰入したり少なく詰入したり、保温材の詰入量を調整した様々なバリエーションのものが用意されている。
【０００４】
しかし、当然のことながら、ユーザーはこの要求を満たすには複数購入しなければならず、よって、ユーザーの要求を満たすには至っていない。また、その他にも、この防寒衣類を家庭で丸洗いしたいという要求もあるが、特に保温力の高い高級な保存材が詰入されていた場合には丸洗い出来ないことが多い。
【０００５】
そこで、例えば実開昭５７−７９１１５号に開示されるように、表地と裏地との間に空気を出し入れ自在となる空気封入部を設けた防寒衣類（以下、従来例）が提案されている。
【０００６】
この従来例は、空気を断熱媒体とするものであり、よって、気温が低い場合には空気の封入量を増やし、一方、気温が比較的高い場合には空気の封入量を減らし、空気封入部に対する空気の封入量に応じて保温力を変えられるとされる。
【先行技術文献】
【特許文献】
【０００７】
【特許文献１】実開昭５７−７９１１５号公報
【発明の概要】
【発明が解決しようとする課題】
【０００８】
しかしながら、従来例は、空気の封入量だけで保温力を調整することは困難であり、即ち、高い保温力を得るには多量の空気を封入しなければならず（実際に多量の空気を封入できたとしても着心地が悪くなってしまう）、しかも、空気封入部が破損して封入した空気が漏れた場合には直ちに保温力が低下してしまうなどの問題点がある。
【０００９】
本発明は、前述した問題点を解消する、極めて商品価値の高い画期的な防寒衣類を提供する。
【課題を解決するための手段】
【００１０】
添付図面を参照して本発明の要旨を説明する。
【００１１】
衣類本体１の前身ごろ部１Ａ及び後身ごろ部１Ｂに着脱自在に設けられる前身ごろ裏地及び後身ごろ裏地と、前記衣類本体１の袖部１Ｃに設けられる袖裏地とに、羽毛，綿，気泡緩衝材，生地若しくは紙から成る保温材３ａが詰入された保温パック体３が収納される収納部２が設けられた防寒衣類であって、前記収納部２は前記前身ごろ裏地及び後身ごろ裏地の面方向に多数設けられるとともに、前記袖裏地に複数設けられ、前記収納部２に出し入れ自在となり、前記収納部２に対して前記前身ごろ裏地，後身ごろ裏地及び袖裏地の厚さ方向に積層収納し得る厚さの前記保温パック体３が多数備えられ、前記前身ごろ裏地，前記後身ごろ裏地及び前記袖裏地はメッシュ構造であることを特徴とする防寒衣類に係るものである。
【００１２】
また、前記保温パック体３は、前記保温材３ａを扁平状の袋体３ｂに詰入した扁平状体であることを特徴とする請求項１記載の防寒衣類に係るものである。
【００１３】
また、前記前身ごろ裏地，前記後身ごろ裏地及び前記袖裏地は、第一面材４ａとこの第一面材４ａに重合して一体とされる第二面材４ｂとから成り、前記第一面材４ａと前記第二面材４ｂとが一体とされるに際して、一箇所が開口するように袋状に区分けされた前記収納部２が設けられた構成であり、前記収納部２の開口部２ａには、前記第二面材４ｂの端部を内側へ折り返した折り返し部２ｂが設けられ、この折り返し部２ｂにより前記収納部２に収納された前記保温パック体３の端部が抜け止め係止されるように構成されていることを特徴とする請求項１，２のいずれか１項に記載の防寒衣類に係るものである。
【発明の効果】
【００１４】
本発明は上述のように構成したから、前述した従来例と異なり、収納部に対する保温パック体の収納量を可変するだけで保温力を簡易且つ確実に調整することができ、しかも、この保温力の微調整が行えることになり、そして更に、部分的に保温力を高めたりするなどの使用も可能になるなど、ユーザーの要求に確実に対応することができる、極めて商品価値の高い画期的な防寒衣類となる。
【００１５】
また、本発明においては、例えば保温パック体がどの位置の収納部にどれだけ収納されているかを直ちに確認することができ、ユーザーの要求に応じて保温パック体の収納位置や収納量を簡易且つ迅速に変えることができ、しかも、収納部を設ける裏地部分を通気性の良いメッシュ構造としたから、通気性の欲しい部分には保温パック体を収納しないようにするなど、ユーザーの好みに応じて様々な使い方が可能になるなど、極めて商品価値の高い画期的な防寒衣類となる。
【００１６】
また、請求項２記載の発明においては、収納部に対して保温パック体を簡易且つ良好に積層収納することができ、しかも、保温パック体を積層収納しても嵩張ったりせず、着心地が良くて体裁も良い状態が得られることになるなど、極めて商品価値の高い画期的な防寒衣類となる。
【図面の簡単な説明】
【００１７】
【図１】本実施例に係る衣類本体を示す正面図である。
【図２】本実施例に係る要部の説明図である。
【図３】本実施例に係る要部の説明図である。
【図４】本実施例に係る要部の説明図である。
【図５】本実施例に係る要部の説明図である。
【図６】本実施例に係る要部の説明図である。
【図７】本実施例の使用状態説明図である。
【図８】本実施例の使用状態説明図である。
【発明を実施するための形態】
【００１８】
好適と考える本発明の実施形態（発明をどのように実施するか）を、図面に基づいて本発明の作用を示して簡単に説明する。
【００１９】
例えばユーザーの好みで、衣類本体１の裏地４に多数設けられた収納部２に対して多数備えられた保温パック体３を収納する。この収納部２に対して羽毛や綿や気泡緩衝材などの保温材３ａを詰入した保温パック体３が収納された部位は保温力が向上し、一方、収納部２から保温パック体３を一部若しくは全部取り出した部位は保温力が低くなる。
【００２０】
また、この保温パック体３は収納部２に対して裏地４の厚さ方向に積層収納することができ、収納部２に対する保温パック体３の収納量を変えることで保温力を調整することができる。
【００２１】
つまり、例えば気温が低い時には収納部２に対する保温パック体３の収納量（積層量）を増やして保温力を上げ、一方、気温が比較的高い時には収納部２に積層収納された保温パック体３の一部若しくは全部を取り出して収納量を減らして保温力を下げることができ、収納部２に対する保温パック体３の収納量を変えて保温力を調整することができる。
【００２２】
また、本発明は、例えば衣類本体１がジャケットやベストなどの上着だった場合には、肩部分だけ保温力が欲しいとか、背中部分だけ保温力が欲しいなど、部分的に保温力が欲しいとされる場合には、この保温力が欲しい部位となる任意の収納部２に対して保温パック体３を収納することで対応できる。
【００２３】
以上のように、本発明は、衣類本体１に必要な時に必要な保温力を具備せしめることができる。
【実施例】
【００２４】
本発明の具体的な一実施例について図面に基づいて説明する。
【００２５】
本実施例は、衣類本体１の裏地部分に、羽毛，綿若しくは気泡緩衝材から成る保温材３ａを詰入した保温パック体３を収納する収納部２を設けたものである。
【００２６】
以下、本実施例に係る構成各部について詳細な説明をする。
【００２７】
衣類本体１は、図１に図示したように防水性に秀れた表地５から成り、前開きタイプの前身ごろ部１Ａ，後身ごろ部１Ｂ及び袖部１Ｃを有し、また、この前身ごろ部１Ａと後身ごろ部１Ｂ夫々の境界位置となる開口部にフード１Ｄが設けられたレインウェアとして構成されている。
【００２８】
また、前身ごろ部１Ａ、後身ごろ部１Ｂ及び袖部１Ｃ夫々の内側には、メッシュ構造の裏地４（裏地部分）が設けられている。
【００２９】
この裏地４には、後述する保温パック体３を収納する収納部２が裏地４の面方向に多数設けられている。
【００３０】
具体的には、裏地４は、図２，３に図示したようにメッシュ生地から成る第一面材４ａと、この第一面材４ａに重合するメッシュ生地から成る第二面材４ｂとで構成され、この第一面材４ａと第二面材４ｂとを重合した状態で縫製することで一体としたものであり、この裏地４も前身ごろ部，後身ごろ部及び袖部夫々に該当する部位（前身ごろ裏地，後身ごろ裏地及び袖裏地）を有する構成である。
【００３１】
尚、本実施例では、裏地４は表地５に縫製されているが、表地５に対して着脱自在とした所謂インナーとしても良く、本明細書で言う裏地部分とは広義の解釈を持つ。
【００３２】
また、裏地４は、第一面材４ａと第二面材４ｂとを縫製する際、一箇所が開口するように区画して袋状に縫製することで、区分けされた収納部２が多数設けられている。
【００３３】
この収納部２の正面視形状は、保温パック体３の平面視形状と同形状に形成されている。
【００３４】
また、収納部２の開口部２ａには、第二面材４ｂの端部を内側へ折り返した帯状の折り返し部２ｂが設けられており、この折り返し部２ｂにより収納した保温パック体３の端部を抜け止め係止することができる（図４〜６参照）。
【００３５】
また、収納部２は、裏地４がメッシュ構造であるから、収納部２に収納した保温パック体３を看取する（透けて見える）ことができる。
【００３６】
従って、保温パック体３がどの位置の収納部２にどれだけ収納されているかを確認することができる。
【００３７】
また、本実施例では、図７に図示したように前述した構造の収納部２を袖部１Ｃ（袖裏地）にも設けている。
【００３８】
尚、本実施例では、衣類本体１としてレインウェアを採用しているが、例えばスキーウェア、ダウンジャケット、ベスト、ベンチコート、つなぎ服、図８に図示したようにズボン（パンツ）でも良いなど、本実施例の特性を発揮する構成（防寒衣類）であれば適宜採用し得るものである。
【００３９】
保温パック体３は、図３に図示したように羽毛，綿若しくは気泡緩衝材（空気の入った緩衝材）から成る保温材３ａを、平面視方形状にして扁平状に形成された袋体３ｂに詰入した扁平状体であり、多数設けられている。この保温パック体３の数は、例えば全ての収納部２夫々に複数（２つずつ）積層収納するに相当する量である。
【００４０】
尚、保温材３ａとしては、前述した他にも保温機能を有し且つ柔軟性を有する素材の物であれば良く、例えばフリース生地、紙でも良いなど、本実施例の特性を発揮するものであれば適宜採用し得るものである。
【００４１】
本実施例は上述のように構成したから、例えばユーザーの好みで、衣類本体１の裏地４に多数設けられた収納部２夫々に対して多数備えられた保温パック体３を収納すると、この収納部２に保温パック体３が収納された部位は保温力が向上することになり、しかも、仮に保温パック体３が破損しても別の保温パック体３を取り換え収納することで簡易に対応できる。
【００４２】
また、本実施例は、この保温パック体３は収納部２に対して裏地部分（裏地４）の厚さ方向に積層収納することができ、収納部２に対する保温パック体３の収納量を変えることで保温力を調整することができる。
【００４３】
また、本実施例は、例えば衣類本体１がジャケットやベストなどの上着だった場合には、肩部分だけ保温力が欲しいとか、背中部分だけ保温力が欲しいなど、部分的に保温力が欲しいとされる場合には、この保温力が欲しい部位となる任意の収納部２に対して保温パック体３を選択的に収納することで対応できる。
【００４４】
また、本実施例は、収納部２から保温パック体３を取り出すことで、丸洗いすることができ、乾燥も迅速に行えることになる。
【００４５】
また、本実施例は、収納部２を裏地４に設けたから、収納部２に対して保温パック体３の収納量（積層量）変えても表からは見えにくく、衣類本体１のデザインが崩れることが無い。
【００４６】
また、本実施例は、保温パック体３が簡易構造にしてシンプルな形状である為、コスト安にして量産性に秀れることになる。
【００４７】
尚、本発明は、本実施例に限られるものではなく、各構成要件の具体的構成は適宜設計し得るものである。
【符号の説明】
【００４８】
１  衣類本体
１Ａ 前身ごろ部
１Ｂ 後身ごろ部
１Ｃ 袖部
２  収納部
２ａ 開口部
２ｂ 折り返し部
３  保温パック体
３ａ  保温材
３ｂ  袋体
４ａ 第一面材
４ｂ 第二面材
【図１】
0005972542.tif 000002
【図２】
0005972542.tif 000003
【図３】
0005972542.tif 000004
【図４】
0005972542.tif 000005
【図５】
0005972542.tif 000006
【図６】
0005972542.tif 000007
【図７】
0005972542.tif 000008
【図８】
0005972542.tif 000009